(57)【要約】      （修正有）【課題】分離用刃物を備えた断裁装置を連設し、綴じた折り用紙束を分離可能な用紙処理装置において、均質な冊子を得るための綴じ機構の位置の微調整が容易な用紙処理装置を提供する。  【解決手段】分離後の冊子の各々に２か所の綴じ針が形成されるように、綴じラインに沿って複数の綴じ機構が列設される。ユーザによる操作部７００からの入力指示により、各綴じ機構の位置を微調整する際、ユーザの１回の操作に応じて分離断裁後の各冊子につき少なくとも１か所ずつの綴じ機構をまとめて移動させ、かつ分離断裁後の各冊子の綴じ針の間隔が、移動後においても互いに同一となるように、移動機構を制御する。【選択図】図１
2017007760.tif 000002
【特許請求の範囲】
【請求項１】
所定位置に載置された用紙束の１辺に平行な綴じラインに沿って複数の綴じ針を打ち込むように、前記綴じラインに沿って複数設けられた綴じ機構と、
各綴じ機構を前記綴じラインに沿って移動させる移動機構と、
前記綴じラインに直交する方向に延びる分離用刃物を有し、前記綴じ機構で綴じ針が打ち込まれた用紙束を前記分離用刃物で断裁して複数に分割する分離断裁機構と、
前記綴じ機構で綴じ針が打ち込まれた用紙束を、前記分離断裁機構へ搬送する搬送機構と、
ユーザの操作入力を受付ける操作部と、
前記操作部による入力内容を取得するとともに、その入力内容に基づいて、前記移動機構を制御する制御部と、
を有する用紙処理装置において、
前記制御部は、前記用紙の綴じライン方向の長さを取得して記憶するとともに、記憶された綴じライン方向の長さ以内に複数箇所の綴じ針が収まるとともに、前記分離断裁刃による分離断裁後の各々の用紙束に対して綴じ針が同間隔で同数個ずつ打たれるように各綴じ機構を移動させる第１の制御と、該第１の制御による移動後の各綴じ機構の位置をユーザの指示に基づいて微小距離ずつ移動させる第２の制御とが実行可能であり、
前記第２の制御においては、前記操作部におけるユーザの１回の操作に応じて、前記綴じ機構を、分離断裁後の複数の用紙束について用紙束ごとに少なくとも１か所ずつ移動させることにより、分離断裁後の各用紙束の綴じ針の間隔が、移動後においても互いに同一となるように、前記移動機構を制御することを特徴とする用紙処理装置。
【請求項２】
前記第２の制御において、ユーザの１回の操作で移動する複数の綴じ機構の移動距離は、互いに同一であることを特徴とする請求項１記載の用紙処理装置。
【請求項３】
前記綴じ機構は、前記分離用刃物による断裁ラインである分離断裁ラインを中心に対称に配置され、
前記制御部は、前記第２の制御において、ユーザの１回の操作に応じて、前記分離断裁ラインを中心に互いに対称配置された少なくとも１組の綴じ機構を、前記分離断裁ラインを中心に対称移動させるように、前記移動機構を制御することを特徴とする請求項１または２記載の用紙処理装置。
【請求項４】
前記制御部は、前記第２の制御において、ユーザの１回の操作に応じて、分離断裁後に同一の用紙束に配置される綴じ針のすべてを同一方向に同距離だけ移動させるように、前記移動機構を制御することを特徴とする請求項１ないし３いずれかに記載の用紙処理装置。
【請求項５】
前記制御部は、前記第２の制御において、ユーザの１回の操作に応じて、分離断裁後に同一の用紙束に配置される綴じ針の、綴じライン方向におけるセンターラインを中心とした対称移動を、分離断裁後の各々の用紙束に対して行うように、前記移動機構を制御することを特徴とする請求項１ないし４いずれかに記載の用紙処理装置。
【発明の詳細な説明】
【技術分野】
【０００１】
本発明は、用紙束を綴じ針で綴じ、綴じ後の用紙束を複数に分割する断裁刃を有する断裁部を伴う用紙処理装置の技術分野に関する。
【背景技術】
【０００２】
搬入した用紙束の四辺のうちの１辺に沿った綴じラインに沿って複数の綴じ針を打ち込み、必要に応じて綴じた位置で束ごと折り曲げて中綴じ折り冊子とする用紙処理装置が従来から使用されている。
【０００３】
このような用紙処理装置には、折り曲げた用紙束（以下、折り用紙束という）の小口と天地を断裁して切り揃える小口、天地断裁刃に加えて、折り用紙束を複数に分割するための分離用刃物が設けられた断裁装置（例えば、特許文献１参照）が連接されることがある。この断裁装置により、周縁が切り揃えられた見栄えの良い冊子が得られるほか、予め複数冊分の印刷を施した用紙束を折り曲げて折り用紙束を形成し、さらにこれを分離用刃物で複数冊に分割して冊子を作成することにより、より冊子作成効率を上げることができる。  
【先行技術文献】
【特許文献】
【０００４】
【特許文献１】特開２０１３−１９３２０７号公報（段落［００２０］〜［００２２］、図４）
【発明の概要】
【発明が解決しようとする課題】
【０００５】
このような分離用刃物を備えた断裁装置により折り用紙束を複数に分割して冊子を作成するには、分離後の１冊あたりの綴じ針の数に、分離後の冊数を乗じた数の綴じ針が、分離前の折り用紙束の綴じライン上に形成されることになる。例えば、綴じ針を２個備えた冊子を、折り用紙束を２分割して作成する場合、４個の綴じ機構が必要となり、用紙処理装置には４個の綴じ機構が列設される。
【０００６】
各々の綴じ機構は綴じラインに沿って移動可能であり、綴じ対象の用紙の幅の内側に綴じ針が収まるように配置されるとともに、その位置が微調整できるようになっている。この微調整は、ユーザの操作指令に応じ、各々の綴じ機構を綴じラインに沿って微小距離ずつ移動させることによって行う。しかし、分離断裁により冊子を作成する場合は綴じ機構の数が多くなる。この多数の綴じ機構の各々について微調整が必要であるため、煩雑になるという問題がある。
【０００７】
また、分離後の各々の冊子を均質にするために、各々の冊子に形成される綴じ針同士の間隔を同一とするのが望ましいが、そのためには分離後の冊子の１つについて綴じ間隔を調整した後、その他の冊子についても、最初に調整した冊子と同一の綴じ間隔となるように調整しなければならず、非常に煩雑であった。 
【０００８】
本発明はこのような問題点に鑑みてなされたものであって、分離用刃物を備えた断裁装置を連設し、綴じた折り用紙束を分離可能な用紙処理装置において、均質な冊子を得るための綴じ機構の位置の微調整が容易な用紙処理装置を得ることを目的とする。
【課題を解決するための手段】
【０００９】
上記課題を解決するための、本発明のある態様の用紙処理装置は、所定位置に載置された用紙束の１辺に平行な綴じラインに沿って複数の綴じ針を打ち込むように、綴じラインに沿って複数設けられた綴じ機構と、各綴じ機構を前記綴じラインに沿って移動させる移動機構と、綴じラインに直交する方向に延びる分離用刃物を有し、綴じ機構で綴じ針が打ち込まれた用紙束を分離用刃物で断裁して複数に分割する分離断裁機構と、綴じ機構で綴じ針が打ち込まれた用紙束を、分離断裁機構へ搬送する搬送機構と、ユーザの操作入力を受付ける操作部と、操作部による入力内容を取得するとともに、その入力内容に基づいて、移動機構を制御する制御部と、を有する用紙処理装置において、制御部は、用紙の綴じライン方向の長さを取得して記憶するとともに、記憶された綴じライン方向の長さ以内に複数箇所の綴じ針が収まるとともに、分離断裁刃による分離断裁後の各々の用紙束に対して綴じ針が同間隔で同数個ずつ打たれるように各綴じ機構を移動させる第１の制御と、該第１の制御による移動後の各綴じ機構の位置をユーザの指示に基づいて微小距離ずつ移動させる第２の制御とが実行可能であり、第２の制御においては、操作部におけるユーザの１回の操作に応じて、綴じ機構を、分離断裁後の複数の用紙束について用紙束ごとに少なくとも１か所ずつ移動させることにより、分離断裁後の各用紙束の綴じ針の間隔が、移動後においても互いに同一となるように、移動機構を制御することを特徴とする用紙処理装置である。
【００１０】
この態様によれば、分離断裁後の複数の用紙束の各々について、ユーザの１回の操作で綴じ位置を移動させることができるとともに、移動後の各々の用紙束の綴じ間隔が同一となるので、均質な冊子を得るための綴じ位置の調整が容易となる。
【００１１】
第２の制御において、ユーザの１回の操作で移動する複数の綴じ機構の移動距離は、互いに同一であってもよい。
【００１２】
綴じ機構は、分離用刃物による断裁ラインである分離断裁ラインを中心に対称に配置され、制御部は、第２の制御において、ユーザの１回の操作に応じて、分離断裁ラインを中心に互いに対称配置された少なくとも１組の綴じ機構を、分離断裁ラインを中心に対称移動させるように、移動機構を制御してもよい。この態様によれば、分離断裁後の用紙束の各々の綴じ間隔の変更を、ユーザの１回の操作で行うことができるので、均質な冊子を得るための綴じ位置の調整が容易となる。
【００１３】
制御部は、第２の制御において、ユーザの１回の操作に応じて、分離断裁後に同一の用紙束に配置される綴じ針のすべてを同一方向に同距離だけ移動させるように、移動機構を制御してもよい。この態様によれば、分離断裁後の用紙束の各々の綴じ間隔を固定した状態での綴じ位置移動を、ユーザの１回の操作で行うことができるので、均質な冊子を得るための綴じ位置の調整が容易となる。
【００１４】
制御部は、第２の制御において、ユーザの１回の操作に応じて、分離断裁後に同一の用紙束に配置される綴じ針の、綴じライン方向におけるセンターラインを中心とした対称移動を、分離断裁後の各々の用紙束に対して行うように、移動機構を制御してもよい。この態様によれば、各用紙束の複数の綴じ針の中央を基準として対称に拡大縮小させることによる綴じ間隔の変更を、ユーザの１回の操作で行うことができるので、均質な冊子を得るための綴じ位置の調整が容易となる。
【発明の効果】
【００１５】
本発明によれば、綴じた用紙束を分離用刃物で複数に分離する用紙処理装置において、均質な冊子を得るための綴じ機構の位置の微調整が容易な用紙処理装置を得ることができるという効果がある。
【図面の簡単な説明】
【００１６】
【図１】本発明の実施形態に係る用紙処理装置１を示す正面図である。
【図２】中綴じ折部２００を示す正面図である。
【図３】中綴じ折部２００を示す平面図である。
【図４】天地断裁部５００を模式的に示す上面図である。
【図５】天地断裁部５００を模式的に示す側面図であり、図４における下方向から見た図 である。
【図６】本発明の用紙処理装置１の制御ブロック図である。
【図７】第１の制御を示すフローチャートである。
【図８】用紙サイズ入力画面７０１ａを示す図である。
【図９】仕上がりサイズ入力画面７０１ｂを示す図である。
【図１０】微調整画面７０１ｃを示す図である。
【図１１】両側綴じ位置調整画面７０１ｄを示す図である。
【図１２】両側綴じ位置調整を示すフローチャートである。
【図１３】外側綴じ位置調整画面７０１ｅを示す図である。
【図１４】外側綴じ位置調整を示すフローチャートである。
【図１５】対称綴じ位置調整画面７０１ｆを示す図である。
【図１６】対称綴じ位置調整を示すフローチャートである。
【図１７】ステップ動作を示すフローチャートである。
【図１８】本発明の変形例に係る用紙束Ｐ１を示す図である。
【図１９】本発明の変形例におけるステッチャ２１５の移動形態を示す図である。
【図２０】本発明の変形例に係る用紙束Ｐ１を示す図である。
【発明を実施するための形態】
【００１７】
本発明を実施するための第１実施形態を図面を参照して詳細に説明する。
【００１８】
図１は本発明の実施形態に係る用紙処理装置１を示す正面図である。この用紙処理装置１は、複数の給紙部に積載された用紙から各々１枚ずつ取り出して重ねる丁合部１００と、この丁合部１００で形成された用紙束Ｐ１を加工して折り用紙束Ｐ２を作成する中綴じ折り部２００と、この中綴じ折部２００で作成された折り用紙束Ｐ２の小口側（開き側）を断裁して切り揃える小口断裁部４００と、折り用紙束Ｐ２の天地側を断裁して切り揃えるとともに、折り用紙束Ｐ２を中央で断裁して２分割して冊子Ｐ３とする天地断裁部５００と、断裁及び分割された冊子Ｐ３を受け入れて並べるスタッカ部６００を備える。
【００１９】
（丁合部１００）
丁合部１００は、縦方向に複数配列した給紙機構１０１を有する。この給紙機構１０１には、それぞれ分離機構１０２が設けられている。分離機構１０２は、給紙機構１０１に縦方向に積載された複数の用紙から１枚のみを分離して取り出すもので、エアの吸引力やゴムローラの摩擦力等を利用して、積載した用紙のうち最上位の１枚を取り出す。この分離機構１０２によって、それぞれの給紙機構１０１から１枚ずつ取り出された用紙は、丁合搬送路１０３において搬送しながら重ねられ、用紙束Ｐ１が形成される。用紙束Ｐ１は搬送ブリッジ１０４を経由して、中綴じ折り部２００へ供給される。
【００２０】
（中綴じ折り部２００）
図２は中綴じ折り部２００を示す正面図、図３はその平面図である。中綴じ折り部２００は、用紙束Ｐ１を機内に搬入する搬入ローラ対２０１、搬入された用紙束Ｐ１をいったん停止させて揃え、その搬送方向中央部を綴じる揃え綴じ機構２１０、綴じられた用紙束Ｐ１を、その綴じた部分で二つ折りする折り機構２４０、ユーザが操作可能で、中綴じ折り部２００の各種機能の選択、設定、メンテナンス等が可能な操作パネル７００とを有する。
【００２１】
（揃え綴じ機構２１０）
揃え綴じ機構２１０は、搬入ローラ対２０１により搬入された用紙束Ｐ１を図示左方向に搬送する搬送ベルト２１１、搬送ベルト２１１で搬送されてきた用紙束Ｐ１の先端を当接させて停止させる綴じストッパ２１２、ストッパ２１２に当接して停止した用紙束Ｐ１の後端に当接し、用紙束Ｐ１の搬送方向前端と後端の縁を揃えるバックジョガー２１３と、ストッパ２１２に当接して停止した用紙束Ｐ１の両側端に当接し、両側端の縁を揃えるサイドジョガー２１４（２１４ａ、２１４ｂ）と、バックジョガー２１３及びサイドジョガー２１４とで揃えた用紙束Ｐ１の中央に綴じ針を打ち込むステッチャ２１５（２１５ａ、２１５ｂ、２１５ｃ、２１５ｄ）とを有する。
【００２２】
バックジョガー２１３は板状の部材であり、その図２における左側の面である当接面を、用紙束の後端に当接させるようになっている。このバックジョガー２１３は、回動軸２１３ａを中心に回動することにより、用紙束Ｐ１の後端に当接面が当接する当接位置（図２における実線位置）と、その当接位置よりも用紙束搬送方向上流側に退避した退避位置（図２における一点鎖線位置）との間を往復移動可能に設けられている。回動軸２１３ａは回転量制御可能なパルスモータ（図示せず）により駆動される。このパルスモータが所定量回転すると、回動軸２１３ａが回動し、バックジョガー２１３は退避位置から当接位置へ移動する。その後パルスモータが同じ所定量だけ逆回転すると、回動軸２１３ａが逆方向に回動し、バックジョガー２１３は退避位置に戻る。また、バックジョガー２１３を用紙搬送方向に移動可能な駆動機構も別途設けられ（図示せず）、搬送される用紙サイズに適した位置に予め位置設定される。
【００２３】
サイドジョガー２１４は、用紙束Ｐ１の搬送方向（以下、単に搬送方向ともいう）に対し左側に設けられた第１サイドジョガー２１４ａ、右側に設けられた第２サイドジョガー２１４ｂを有する。第１、第２サイドジョガー２１４ａ、２１４ｂは、それぞれ搬送方向に直交する方向（以下、幅方向という）の中央のライン（以下、搬送中央ラインＬ１という）に対し、幅方向の左右両側に対称配置されたＬ型の板状の部材であり、搬送中央ラインＬ１を挟んで、外側にＬ型の上方への立ち上がり部が来るように配置されている。
【００２４】
第１、第２サイドジョガー２１４ａ、２１４ｂは、このＬ型の立ち上がり部内側の当接面が用紙束Ｐ１の幅方向両端に当接する当接位置と、用紙束Ｐ１の幅方向両端から一定距離離間した離間位置との間を、往復移動可能になっている。第１、第２サイドジョガー２１４ａ、２１４ｂの移動範囲の幅方向両外側に、プーリ２１４１ａ，２１４１ｂがそれぞれ設けられ、この両プーリ２１４１ａ，２１４１ｂ間に、ジョガー駆動ベルト２１４２が掛けられている。ジョガー駆動ベルト２１４２の下流側直線走行部は、サイドジョガー２１４ａのＬ型の水平面部の下面に固定されている。また、ジョガー駆動ベルト２１４２の上流側直線走行部は、サイドジョガー２１４ｂのＬ型の水平面部の下面に固定されている。
【００２５】
プーリ２１４１ａにはこれを回転駆動させるパルスモータＭ２が接続されている。このパルスモータＭ２が所定量回転すると、プーリ２１４１ａが回転し、ベルト２１４２が周回移動することにより、サイドジョガー２１４は互いに近づく方向、または遠ざかる方向に移動する。パルスモータＭ２が所定量回転及び逆回転することにより、サイドジョガー２１４は、その幅方向内側の当接面が用紙束Ｐ１の側端に当接する当接位置と、用紙束Ｐ１の側端から所定距離離間する離間位置との間を、往復移動する。
【００２６】
綴じストッパ２１２は、Ｌ型の板状部材である。そのＬ型の立ち上がり部が、搬送ベルト２１１の上面に突出する当接位置と、搬送ベルト２１１の上面よりも下方に退避した退避位置との間を移動可能になっている。用紙束Ｐ１が揃え綴じ部２１０に搬入されるとき、この綴じストッパ２１２は当接位置にあり、搬入された用紙束Ｐ１の先端が、綴じストッパ２１２のＬ型立ち上がり部の搬送方向上流側の当接面に当接して、用紙束Ｐ１を停止させるようになっている。綴じストッパ２１２の上流側直近には、用紙束Ｐ１を検知可能なセンサＳ１（図１乃至３では図示省略。図６参照）が設けられている。
【００２７】
搬送ベルト２１１は、上流側プーリ２１１１と下流側プーリ２１１２との間に掛けられており、その上面に載置される用紙束Ｐ１を搬送する。この搬送ベルト２１１には、その外周面から突出した２つの爪２１１ａ、２１１ｂを有し、この爪２１１ａ、２１１ｂは、ステッチャ２１５で綴じられた用紙束Ｐ１を図示左方へ押し出す。プーリ２１１２にはモータ（図示せず）が接続され、このモータによりプーリ２１１２を回転駆動し、搬送ベルト２１１を周回駆動する。
【００２８】
揃え綴じ機構２１０に搬入され、バックジョガー２１３、サイドジョガー２１４によって揃えられた用紙束Ｐ１の搬送方向中央の綴じライン上の４箇所に、ステッチャ２１５が綴じ針を打ち込む。ステッチャ２１５にはワイヤが供給され、このワイヤを切断するとともにコの字に折り曲げ、その針先が用紙束Ｐ１を貫通するように打ち込む。用紙搬送路を挟んでステッチャ２１５の下方にはクリンチャが設けられている（図示省略）。クリンチャは、用紙束Ｐ１に打ち込まれたコの字の針先を折り曲げ、綴じを完成させる。このステッチャ２１５とクリンチャ２１６の機構詳細は公知であるので省略する。
【００２９】
ステッチャ２１５は、搬送方向に直交する綴じライン上に４か所の綴じ針を形成できるように、４個並列して設けられている。ステッチャ２１５の移動範囲の幅方向両外側に、プーリ２１５１ａ，２１５１ｂがそれぞれ設けられ、この両プーリ２１５１ａ，２１５１ｂ間に、ステッチャ駆動ベルト２１５２が掛けられている。ステッチャ駆動ベルト２１５２の上流側直線走行部は、ステッチャ２１５ａに固定され、下流側直線走行部はステッチャ２１５ｄに固定されている。同様に、ステッチャ２１５の移動範囲の幅方向両外側に、プーリ２１５３ａ，２１５３ｂがそれぞれ設けられてステッチャ駆動ベルト２１５４が掛けられ、その上流側直線走行部は、ステッチャ２１５ｃに固定され、下流側直線走行部はステッチャ２１５ｂに固定されている。
【００３０】
プーリ２１５１ａ、２１５３ａにはこれを回転駆動させる駆動源であるパルスモータＭ８、Ｍ７が各々接続されている。パルスモータＭ８が所定量回転すると、プーリ２１５１ａが回転し、ステッチャ駆動ベルト２１５２が周回移動する。すると、ステッチャ２１５ａと２１５ｄがそれぞれ、互いに近づく方向、または遠ざかる方向に移動する。すなわちパルスモータＭ８が一の方向に回転駆動すると、ステッチャ２１５ａと２１５ｄの両方が、分離断裁ライン（後述）と一致する搬送中央ラインＬ１に対して対称移動する。同様に、パルスモータＭ７が所定量回転すると、プーリ２１５３ａが回転し、ステッチャ駆動ベルト２１５４が周回移動する。すると、ステッチャ２１５ｂと２１５ｃがそれぞれ、互いに近づく方向、または遠ざかる方向に移動する。すなわちパルスモータＭ７が一の方向に回転駆動すると、ステッチャ２１５ｂと２１５ｃの両方が、分離断裁ライン（後述）と一致する搬送中央ラインＬ１に対して対称移動する。
【００３１】
各々のステッチャ２１５の下方には、クリンチャ２１６が各々設けられており、ステッチャ２１５ａ、２１５ｄに対応するクリンチャはパルスモータＭ８に、ステッチャ２１５ｂ、２１５ｃに対応するクリンチャはパルスモータＭ７により駆動され、各々対応するステッチャとともに移動するように駆動機構が構成されている（図示省略）。
【００３２】
以上の機構により、外側のステッチャ２１５ａと２１５ｄ、及び内側のステッチャ２１５ｃ、２１５ｄの各々が、搬送中央ラインＬ１を挟んで各々幅方向に対称移動可能となっている。
【００３３】
（折り機構２４０）
揃え綴じ機構２１０の下流側には、用紙束Ｐ１をその搬送方向中央部でまとめて二つ折りする折り機構２４０が設けられている。折り機構２４０は、用紙束Ｐ１を挟んで折り目をつける折りローラ対２４１と、用紙束Ｐ１をこの折りローラ対２４１の間に押し込むように、用紙束Ｐ１に当接する折ナイフ２４２、この折ナイフ２４２の上流側に配置された第１折り搬送機構２４３、折りナイフ２４２の下流側に配置された第２折り搬送機構２４４、第１折り搬送機構２４３及び第２折り搬送機構２４４で搬送されてきた用紙束Ｐ１の先端を当接させて停止させる折ストッパ２４５、折りローラ対２４１で２つ折りされた折り用紙束Ｐ２をさらに下流側に搬送する第３折り搬送機構２４６を有する。
【００３４】
第１折り搬送機構２４３は、プーリ２４３２、プーリ２４３３と、この両プーリ間に掛けられた搬送ベルト２４３１、この搬送ベルト２４３１の上面に接触転動する搬送コロ２４３５とを有する。プーリ２４３２はプーリ２１１２と同軸上に、回転自在に支持されている。プーリ２４３３にはモータ（図示せず）が接続され、回転駆動力が与えられる。
【００３５】
第２折り搬送機構２４４は、プーリ２４４２、プーリ２４４３と、この両プーリ間に掛けられた搬送ベルト２４４１を有する。この搬送ベルト２４４１の上面と、第１折り搬送機構２４３の搬送ベルト２４３１の上面とが、同一の搬送面を形成するように配置されている。プーリ２４４２にはモータ（図示せず）が接続されており、回転駆動力が与えられる。
【００３６】
折りストッパ２４５は、Ｌ型の板状部材である。そのＬ型の立ち上がり部が、搬送ベルト２４４１の上面に突出する当接位置と、搬送ベルト２４４１の上面よりも下方に退避した退避位置との間を移動可能になっている。用紙束Ｐ１が折り部２４０に搬入されるとき、この折りストッパ２４５は当接位置にあり、搬入された用紙束Ｐ１の先端が、折りストッパ２４５のＬ型立ち上がり部の搬送方向上流側の当接面２４５ａに当接して、用紙束Ｐ１を停止させるようになっている。折りストッパ２４５の上流側直近には、用紙束Ｐ１を検知可能なセンサＳ２（図１乃至３では図示省略。図６参照）が設けられている。
【００３７】
折りローラ対２４１は、幅方向に長く設けられた折りローラが２個１組で構成され、このローラが互いに近づく方向にバネ等（図示せず）で付勢されている。そして折りローラ対２４１の両方の折りローラにモータ（図示せず）が接続され、回転駆動力が付与されている。
【００３８】
折りナイフ２４２は、幅方向に長く設けられた板状の部材である。折りナイフ２４２は、その板状部分の先端が折りローラ対２４１のニップへ向くように配置されている。この折ナイフ２４２は、モータで駆動されるクランク機構（図示せず）により、その板状部分の先端が折りローラ対２４１のニップに近づいた位置と、搬送ベルト２４３１、２４４１の上面が形成する搬送面よりも下方に退避した退避位置との間を往復移動可能である。
【００３９】
第３折り搬送機構２４６は、二つ折りされた折り用紙束Ｐ２をその表裏から挟んで搬送する搬送ベルト２４６１、２４６２と、この搬送ベルト２４６１、２４６２を掛けまわすための複数のプーリを有している。
【００４０】
折り機構２４０の下流側には排出ローラ対２６１が設けられており、折り用紙束Ｐ２を送り出し、後段に連設された小口断裁部４００に引き渡す。排出ローラ対２６１には図示しないモータから駆動力が与えられている。
【００４１】
（小口断裁部４００）
小口断裁部４００を図１を参照して説明する。小口断裁部４００は、搬入ローラ対４０１、上刃４０２、下刃４０３、搬送機構４０４、小口断裁ストッパ４０５を備える。搬入ローラ対４０１は、搬入された折り用紙束Ｐ２をくわえこんで図１における左方向へ搬送する。搬送機構４０４は搬入ローラ対４０１で搬入された折り用紙束Ｐ２をさらに図１における左方向へ搬送する。小口断裁ストッパ４０５は搬送機構４０４で搬送されてきた折り用紙束Ｐ２の先端折り目を当接させ、停止させる。上刃４０２は図示しない駆動源、駆動伝達機構（クランク機構等）等により昇降駆動可能な可動刃であり、下刃４０３と摺接しながら下降し、小口断裁ストッパ４０５によって停止した折り用紙束Ｐ２の小口側の端縁を切り落とす。その切断線は搬送方向に直交する方向の直線であるので、折り用紙束Ｐ２の小口側の端縁が直線的に切り揃えられる。
【００４２】
小口断裁ストッパ４０５は搬送方向に移動可能であり、折り用紙束Ｐ２の先端が当接したときに、その小口側端縁が切断しろ分だけ切断線（上刃４０２と下刃４０３とが摺接する線）から搬送方向上流側にはみ出すような位置に、予め移動させて位置設定しておく。小口断裁ストッパ４０５はさらに、搬送機構４０４による搬送路をふさぐ停止位置（図１に示す実線位置）と、搬送機構４０４による搬送路から退避した退避位置（図１に示す一点鎖線位置）との間を移動可能で、断裁後に退避位置に移動して、折り用紙束Ｐ２がさらに図１における左方向に移動できるようにする。小口断裁ストッパ４０５の上流側直近には、折り用紙束Ｐ２を検知可能なセンサＳ３（図１では図示省略。図６参照）が設けられている。
【００４３】
（天地断裁部５００）
図４は天地断裁部５００を模式的に示す上面図、図５はその図４における下方向から見た側面図である。以下天地断裁部５００を図１、図４、図５を参照して説明する。天地断裁部５００は、搬送機構５０１、天地断裁刃５０２、分離断裁刃５０３、天地断裁ストッパ５０４を備える。
【００４４】
搬送機構５０１は、天地断裁部５００の図１に示す左端から右端まで、冊子搬送面を挟んで上下に対向して走行するベルトと、このベルトを支持するプーリと、プーリのいずれかを駆動する駆動機構（図示せず）を有し、冊子搬送面を挟んで対向した部分のベルトが図１に示す右から左に向かって走行するように駆動され、小口断裁部４００から受け取った折り用紙束Ｐ２を表裏両面から挟んで搬送するようになっている。
【００４５】
天地断裁刃５０２は、搬送中央ラインＬ１を中心に、幅方向に各々１つずつ対称配置されている。天地断裁刃５０２は冊子搬送方向に長く形成された上刃５０２ａ、下刃５０２ｂで構成される。下刃５０２ｂはその上面が折り用紙束搬送面と略一致するように設けられた固定刃であり、上刃５０２ａは昇降可能な可動刃である。上刃５０２ａは下降する際に下刃５０２ｂと摺接し、その摺接部分で、上刃５０２ａと下刃５０２ｂとに挟まれた折り用紙束Ｐ２が切断される。上刃５０２ａ、下刃５０２ｂは搬送中央ラインＬ１に平行なラインに沿って摺接、切断するので、折り目を先頭に搬送されてくる折り用紙束Ｐ２は、搬送中央ラインＬ１に対して平行かつ対称となるラインで切断され、冊子の天地側の周縁部が切り揃えられる。
【００４６】
分離断裁刃５０３は、搬送方向に長く形成された幅方向に所定の刃厚Ｄ１を有する刃物であり、その刃厚Ｄ１の中心が、搬送中央ラインＬ１と一致して設けられた上刃５０３ａと、この上刃５０３ａの幅方向の両縁で、各々上刃５０３ａと摺接するように設けられた下刃５０３ｂ、５０３ｃとで構成される。下刃５０３ｂ、５０３ｃはその上面が用紙搬送面と略一致するように設けられた固定刃であり、上刃５０３ａは昇降可能な可動刃である。上刃５０３ａは下降する際に下刃５０３ｂ、５０３ｃと摺接し、その摺接部分で、上刃５０３ａと下刃５０３ｂ、５０３ｃとに挟まれた冊子が切断される。上刃５０３ａ、下刃５０３ｂ、５０３ｃは上刃５０３ａの幅方向の両縁で摺接するので、折り目を先頭に搬送されてくる折り用紙束Ｐ２は、上刃５０３ａの両縁で切断され、上刃５０３ａの刃厚Ｄ１分だけが切り落とされるとともに、その天側及び地側に冊子Ｐ３が分離形成される。すなわち１つの折り用紙束Ｐ２が、搬送中央ラインＬ１（分離断裁ライン）に沿って２分割され、２冊の冊子Ｐ３が形成される。
【００４７】
天地断裁刃５０２は搬送中央ラインＬ１を中心として幅方向に対称移動可能であり（移動機構は図示省略）。冊子の幅方向サイズに合わせ、その天地側端縁の所定寸法を切り落とすように、予め位置設定される。分離断裁刃５０３は着脱可能に設けられており（着脱機構は図示省略）、分離断裁刃５０３を取外して、分離断裁することなく天地のみを切り揃えることも可能である。
【００４８】
天地断裁刃５０２、分離断裁刃５０３はともに昇降するように、図示しない駆動源と駆動伝達機構（クランク機構等）により昇降駆動される。
【００４９】
天地断裁ストッパ５０４は折り用紙束Ｐ２の先端を当接させて停止させ、停止させた位置で天地断裁刃５０２、分離断裁刃５０３による断裁を行う。天地断裁ストッパ５０４は搬送機構５０１による搬送路をふさぐ停止位置（図１に示す実線位置）と、搬送機構５０１による搬送路から退避した退避位置（図１に示す一点鎖線位置）との間を移動可能で、断裁後に退避位置に移動して、冊子Ｐ３がさらに図１における左方向に移動できるようにする。天地断裁ストッパ５０４の上流側直近には、折り用紙束Ｐ２を検知可能なセンサＳ４（図１では図示省略。図６参照）が設けられている。
【００５０】
（スタッカ部６００）
スタッカ部６００を図１を参照して説明する。スタッカ部６００はスタッカ台６０１、搬送ベルト６０２、スタッカコロ６０３を有する。天地断裁部５００から送り出された冊子Ｐ３はスタッカ台６０１上に送り出される。スタッカ台６０１上面には搬送ベルト６０２が走行し、スタッカコロ６０３は搬送ベルト６０２上にその外周面が接触し、従動回転する。送り出された冊子Ｐ３の先端が搬送ベルト６０２とスタッカコロ６０３の間に挟まれて停止する。搬送ベルト６０２は冊子Ｐ３が送り出されるたびに所定量搬送するので、順次排出される冊子Ｐ３は、その所定量ずつ搬送方向にずれた形でうろこ状に並ぶ。搬送ベルト６０２とスタッカコロ６０３は幅方向に２個設けられており、分離断裁刃５０３で分離された冊子Ｐ３の各々に作用するようになっている。
【００５１】
（中央制御部３００）
図６は本発明の用紙処理装置１の制御ブロック図である。用紙処理装置１には、操作パネル７００や各種センサ類から入力された情報を取得するとともに、用紙処理装置１の各機構を駆動するアクチェータを制御する中央制御部３００が設けられている。中央制御部３００は、各種の演算を実行するＣＰＵ、各種の制御プログラムを格納するＲＯＭ、およびデータ格納やプログラム実行のためのワークエリアとして利用されるＲＡＭを有する。
【００５２】
中綴じ折り部２００にユーザが操作可能な操作パネル７００が設けられている（図２及び図３参照）。この操作パネル７００は画面７０１を有する。画面７０１は液晶タッチパネルで構成されるが、これに限らず、ボタン操作式のパネルやマウスでカーソルを操作する等の方式、さらにそれらの組合せであっても良い。操作パネル７００は、ユーザの操作による各種の設定入力を行うことが可能な入力部として機能するとともに、用紙処理装置１に関する各種情報を表示する表示部としても機能する。中央制御部３００は、こうしてユーザに入力された情報を取得し、取得した情報を必要に応じて参照して用紙処理装置１の動作を制御する。なおこの操作パネル７００は中綴じ折部２００に限らず、用紙処理装置１のどこに設けられていても良いし、丁合部１００、中綴じ折部２００、小口断裁部４００、天地断裁部５００の各々に設けられ、各々自機についての設定入力及び情報表示を行うようになっていてもよい。また、用紙処理装置１とは別体に設けられたタブレット端末や、ＰＣ端末のディスプレイであっても良い。
【００５３】
入力部としての操作パネル７００は、ユーザによる用紙サイズ情報の入力を受付ける。中央制御部３００はこの用紙サイズ情報を取得し、バックジョガー２１３位置移動アクチェータ、サイドジョガー２１４位置移動アクチェータ（パルスモータＭ２）、ステッチャ位置移動アクチェータ（パルスモータＭ７，Ｍ８）、綴じストッパ２１２位置移動アクチェータ、折りストッパ２４５位置移動アクチェータ、小口断裁ストッパ４０５位置移動アクチェータ、天地断裁刃５０２位置移動アクチェータの各々を制御する第１の制御を行う。この第１の制御により、取得した用紙サイズに適した位置に、サイドジョガー２１４、ステッチャ２１５、綴じストッパ２１２、折りストッパ２４５、小口断裁ストッパ４０５、天地断裁刃５０２が移動する。また中央制御部３００にはセンサＳ１，Ｓ２，Ｓ３，Ｓ４の検知結果も入力され、この検知結果に基づいて搬送駆動アクチェータ、小口断裁刃駆動アクチェータ、天地断裁刃５０２・分離断裁刃４０３駆動アクチェータ等を含む各アクチェータを制御して用紙の綴じ、折り、断裁等の動作を行う。さらに、中央制御部３００は用紙処理装置１に係る情報を表示部としての操作パネル７００に出力し、操作パネル７００は当該情報を表示する。なお図１乃至図３においては、パルスモータＭ２，Ｍ７，Ｍ８以外の各アクチェータは図示省略している。
【００５４】
図７はこの第１の制御を示すフローチャートである。用紙サイズを入力するためのユーザによる所定の指示があると（例えば、操作パネル７００において、「用紙サイズ入力キー」にタッチされる等）（Ｓ１００のＹ）、画面７０１に用紙サイズ入力画面を表示させ、ユーザの用紙サイズ入力を受付ける状態とする（Ｓ１０２）。ユーザによる用紙サイズ入力完了操作を受けると（Ｓ１０４のＹ）、次に画面７０１に仕上がりサイズ入力画面を表示させ、ユーザの仕上がりサイズ入力を受付ける状態とする（Ｓ１０６）。ユーザによる仕上がりサイズ入力完了操作を受けると（Ｓ１０８のＹ）、バックジョガー２１３、サイドジョガー２１４、ステッチャ２１５、綴じストッパ２１２、折りストッパ２４５、小口断裁ストッパ４０５、天地断裁刃５０２の各々の位置が、入力された用紙サイズに適した位置に移動するよう、各アクチェータを駆動する。
【００５５】
図８は図７のＳ１０２における用紙サイズ入力画面７０１ａを示す図である。用紙サイズ入力画面７０１ａには、用紙処理装置１による処理前の用紙が模式表示される用紙表示部７０２、用紙の幅方向寸法を入力する用紙幅入力窓７０３、用紙の搬送方向寸法を入力する用紙長さ入力窓７０４、テンキー７０５、完了キー７０６が表示されている。ユーザは用紙幅入力窓７０３、用紙長さ入力窓７０４のいずれかをタッチした後、テンキー７０５をタッチすることにより、各々の寸法を入力することが可能となる。テンキー７０５の「入力」をタッチすると、入力した数値が確定する。再度用紙幅入力窓７０３、用紙長さ入力窓７０４をタッチすると、再度入力が可能となる。
【００５６】
用紙の幅方向寸法、搬送方向寸法の入力が完了した後、完了キー７０６がタッチされると、Ｓ１０４（図７参照）の入力完了操作がなされたと判断し（Ｓ１０４のＹ）、Ｓ１０６に進む。図９は図７のＳ１０６における仕上がりサイズ入力画面７０１ｂを示す図である。仕上がりサイズ入力画面７０１ｂには、用紙処理装置１による処理後の冊子Ｐ３が２冊並列して模式表示される冊子表示部７０７、分離後の仕上がり冊子Ｐ３の幅方向寸法を入力する冊子幅入力窓７０８、冊子Ｐ３の搬送方向寸法を入力する冊子長さ入力窓７０９、冊子Ｐ３の綴じ針の間隔を入力する綴じ間隔入力窓７１０、テンキー７１１、完了キー７１２が表示されている。ユーザは用紙サイズ入力画面７０１ａと同様に、冊子幅入力窓７０８、冊子長さ入力窓７０９、綴じ間隔入力窓７１０のいずれかをタッチすると、テンキー７０５により各々の寸法が入力可能となり、テンキー７１１の「入力」をタッチすると、入力した数値が確定する。各々の入力値に矛盾がある場合（例えば、冊子幅よりも綴じ間隔の方が大きい等）は警告を表示し、「入力」をタッチしても数値が確定できないようになる。完了キー７１２がタッチされると、Ｓ１０８（図７参照）の入力完了操作がなされたと判断し（Ｓ１０８のＹ）、Ｓ１１０に進む。
【００５７】
図７のＳ１１０においては、入力された各々の数値に基づいて、バックジョガー２１３、サイドジョガー２１４、ステッチャ２１５、綴じストッパ２１２、折りストッパ２４５、小口断裁ストッパ４０５、天地断裁刃５０２の各々を移動させて位置設定するように、各アクチェータを駆動する。綴じストッパ２１２は、綴じストッパ２１２に当接して停止した用紙束Ｐ１の搬送方向中央にステッチャ２１５による綴じ位置が来るように、ステッチャ２１５による綴じ位置から入力された用紙長さの２分の１の距離だけ搬送方向下流側に離れた位置に移動する。バックジョガー２１３は、綴じストッパ２１２に当接して停止した用紙束Ｐ１の搬送方向後端にバックジョガー２１３が当接して用紙束Ｐ１の前後端縁の整合が可能となるように、ステッチャ２１５による綴じ位置から入力された用紙長さの２分の１の距離だけ搬送方向上流側に離れた位置に移動する。
【００５８】
折りストッパ２４５は、綴じ針が打ち込まれた位置で折り目が形成されるように用紙束Ｐを折りローラ対２４１に押し込むために、折りナイフ２４２が用紙束Ｐ１に当接する位置よりも、入力された用紙長さの２分の１の距離だけ用紙束Ｐ１が進入する方向の下流側に離れた位置に移動する。小口断裁ストッパ４０５は、小口断裁後の折り用紙束Ｐ２の長さが入力された冊子長さとなるように、小口断裁刃から入力された冊子長さだけ離れた位置に移動する。天地断裁刃５０２は、天地断裁及び分離断裁後に形成される冊子Ｐ３の幅が入力された冊子幅となるように、互いの距離が、入力された冊子幅の２倍に分離断裁刃５０３の上刃５０３ａの刃厚Ｄ１を加えた距離だけ離れた位置に、搬送中央ラインＬ１（分離断裁ライン）を中心に対称移動する。
【００５９】
ステッチャ２１５は、入力された冊子幅と、綴じ間隔に基づいて、モータＭ７，Ｍ８が駆動されることにより幅方向に移動する。すなわち、各々のステッチャ２１５ａ、２１５ｂ、２１５ｃ、２１５ｄによる各々の綴じ位置が、折り用紙束Ｐ２の幅（入力された冊子幅×２＋上刃５０３ａの刃厚Ｄ１）の内側に含まれ、かつ、分離断裁後の冊子Ｐ３の各々の綴じ針の間隔すなわち、ステッチャ２１５ａと２１５ｂにより打ち込まれる綴じ針の間隔、及びステッチャ２１５ｃと２１５ｄにより打ち込まれる綴じ針の間隔が、入力された綴じ間隔と等しくなるように、各々のステッチャ２１５の幅方向の位置が決められる。
【００６０】
以上で第１の制御が完了し、各々の部材が入力値に基づいて位置設定される。しかし、この第１の制御を行って各々の部材を位置設定しても、所望の製本品質を得られないことがある。アクチェータや駆動伝達機構の停止時の位置のバラつき、用紙の寸法誤差、関連する部材のメカ寸法誤差など、様々な要因により、実際に適用される用紙に対して最適な位置から若干ずれている可能性があるからである。したがって、本願発明の用紙処理装置１では、この第１の制御の完了後、第１の制御により位置移動した各々の機構を、さらに微小距離ずつ移動させる第２の制御（以下、微調整ともいう）を行うことが可能になっている。
【００６１】
図１０は微調整画面７０１ｃを示す図である。この微調整画面７０１ｃは、画面７０１において所定位置にタッチするなどの適宜の操作を行うと表示され、第２の制御を行う際に表示する。この微調整画面７０１ｃには、最上位にステップキー７２１が配置され、その下方に綴じ位置調整キー７２２、折り位置調整キー７２３、綴じ折り位置調整キー７２４、両側綴じ位置調整キー７２５、外側綴じ位置調整キー７２６、対称綴じ位置調整キー７２７、サイドジョガー調整キー７２８、バックジョガー調整キー７２９、小口断裁位置調整キー７３０、天地断裁位置調整キー７３１が配置されている。
【００６２】
（両側綴じ位置調整）
図１１は両側綴じ位置調整画面７０１ｄを示す図、図１２はこの両側綴じ位置調整画面７０１ｄを使って行われる両側綴じ位置調整を示すフローチャートである。図１１に示すように、両側綴じ位置調整画面７０１ｄの中央上部には用紙束Ｐ１を模式表示した用紙束表示部７３２を有する。この用紙束表示部７３２には上下方向に４か所の綴じ針を並べて表示し、その上から２個目と３個目との間に位置するように両矢印が配置されている。用紙表示部７３２の下方には左から順に粗縮小キー７３３、細縮小キー７３４、細拡大キー７３５、粗拡大キー７３６が左右に並んで配置され、その右下方に戻りキー７３７が配置されている。中央制御部３０１はキー７３３、７３４、７３５、７３６のいずれかがタッチされると、タッチされたキーに応じてパルスモータＭ７，Ｍ８を駆動して、ステッチャ２１５を微小距離だけ移動させ、その間隔を拡大または縮小する。
【００６３】
この両側綴じ位置調整の流れを図１２を参照して説明する。図１０に示す微調整画面７０１ｃを表示している状態で、両側綴じ位置調整キー７２５にタッチされると（Ｓ３０１のＹ）、図１１に示す両側綴じ位置調整画面７０１ｄが表示される（Ｓ３０２）。粗縮小キー７３３がタッチされると（Ｓ３０３のＹ）、ステッチャ２１５ｂとステッチャ２１５ｃとの間隔が縮小するように、パルスモータＭ７を１０パルス分駆動する。同時に、ステッチャ２１５ａとステッチャ２１５ｄとの間隔も縮小するように、パルスモータＭ８を１０パルス分駆動させる（Ｓ３０４）。細縮小キー７３４がタッチされると（Ｓ３０５のＹ）、ステッチャ２１５ｂとステッチャ２１５ｃとの間隔が縮小するように、パルスモータＭ７を１パルス分駆動する。同時に、ステッチャ２１５ａとステッチャ２１５ｄとの間隔も縮小するように、パルスモータＭ８を１パルス分駆動させる（Ｓ３０６）。
【００６４】
粗拡大キー７３６がタッチされると（Ｓ３０７のＹ）、ステッチャ２１５ｂとステッチャ２１５ｃとの間隔が拡大するように、パルスモータＭ７を１０パルス分駆動する。同時に、ステッチャ２１５ａとステッチャ２１５ｄとの間隔も拡大するように、パルスモータＭ８を１０パルス分駆動させる（Ｓ３０８）。細拡大キー７３５がタッチされると（Ｓ３０９のＹ）、ステッチャ２１５ｂとステッチャ２１５ｃとの間隔が拡大するように、パルスモータＭ７を１パルス分駆動する。同時に、ステッチャ２１５ａとステッチャ２１５ｄとの間隔も拡大するように、パルスモータＭ８を１パルス分駆動させる（Ｓ３１０）。
【００６５】
すなわち、ステッチャ２１５ａがステッチャ２１５ｂと同方向に同距離だけ移動するとともに、ステッチャ２１５ｄがステッチャ２１５ｃと同方向に同距離だけ移動する。その移動距離は、粗縮小キー７３３、粗拡大キー７３６がタッチされたときは、パルスモータＭ７，Ｍ８の１０パルス駆動分であり、本実施形態では１ｍｍとされている。細縮小キー７３４、細拡大キー７３５がタッチされたときは、パルスモータＭ７，Ｍ８の１パルス駆動分であり、本実施形態では０．１ｍｍとされている。
【００６６】
このように、両側綴じ位置調整画面７０１ｄにおいては、キー７３３、７３４、７３５、７３６のいずれかを１回タッチすることにより、ステッチャ２１５ａと２１５ｂの間隔、及びステッチャ２１５ｃと２１５ｄとの間隔を変えずに、ステッチャ２１５ｂとステッチャ２１５ｃとの間隔を拡大縮小することができる。したがって、分離断裁後の各々の冊子Ｐ３における２か所の綴じ針の位置を、その間隔を固定したまま綴じライン上の位置を調整することができるので、ユーザの１回の操作で各々の冊子Ｐ３の綴じ位置を移動させることができるとともに、移動後の各々の冊子Ｐ３の綴じ間隔が同一となる。戻りキー７３７にタッチされると（Ｓ３１１のＹ）、微調整画面７０１ｃ（図１０）に戻って（Ｓ３１２）両側綴じ位置調整を完了する。
【００６７】
（外側綴じ位置調整）
図１３は外側綴じ位置調整画面７０１ｅを示す図、図１４はこの外側綴じ位置調整画面７０１ｅを使って行われる外側綴じ位置調整を示すフローチャートである。図１３に示すように、外側綴じ位置調整画面７０１ｅの中央上部には用紙束Ｐ１を模式表示した用紙束表示部７３８を有する。この用紙束表示部７３８には上下方向に４か所の綴じ針を並べて表示し、その上から１個目と４個目の間に位置するように両矢印が配置されている。用紙表示部７３８の下方には左から順に粗縮小キー７３９、細縮小キー７４０、細拡大キー７４１、粗拡大キー７４２が左右に並んで配置され、その右下方に戻りキー７４３が配置されている。中央制御部３０１はキー７３３、７３４、７３５、７３６のいずれかがタッチされると、タッチされたキーに応じてパルスモータＭ７，Ｍ８を駆動して、ステッチャ２１５を微小距離だけ移動させ、その間隔を拡大または縮小する。
【００６８】
この外側綴じ位置調整の流れを図１４を参照して説明する。図１０に示す微調整画面７０１ｃを表示している状態で、外側綴じ位置調整キー７２６にタッチされると（Ｓ４０１のＹ）、図１３に示す外側綴じ位置調整画面７０１ｅが表示される（Ｓ４０２）。粗縮小キー７３９がタッチされると（Ｓ４０３のＹ）、ステッチャ２１５ａとステッチャ２１５ｄとの間隔が縮小するように、パルスモータＭ８を１０パルス分駆動させる（Ｓ４０４）。細縮小キー７４０がタッチされると（Ｓ４０５のＹ）、ステッチャ２１５ａとステッチャ２１５ｄとの間隔が縮小するように、パルスモータＭ８を１パルス分駆動させる（Ｓ４０６）。Ｓ４０４，Ｓ４０６のいずれにおいてもパルスモータＭ７は駆動されないため、ステッチャ２１５ｂとステッチャ２１５ｃは移動しない。
【００６９】
粗拡大キー７４２がタッチされると（Ｓ４０７のＹ）、ステッチャ２１５ａとステッチャ２１５ｄとの間隔が拡大するように、パルスモータＭ８を１０パルス分駆動させる（Ｓ４０８）。細拡大キー７４１がタッチされると（Ｓ４０９のＹ）、ステッチャ２１５ａとステッチャ２１５ｄとの間隔も拡大するように、パルスモータＭ８を１パルス分駆動させる（Ｓ４１０）。Ｓ４０８，Ｓ４１０のいずれにおいてもパルスモータＭ７は駆動されないため、ステッチャ２１５ｂとステッチャ２１５ｃは移動しない。
【００７０】
すなわち、ステッチャ２１５ａとステッチャ２１５ｄとが搬送中央ラインＬ１（分離断裁ライン）を中心に、間隔を拡大縮小させるように対称移動する。その移動距離は、粗縮小キー７３９、粗拡大キー７４２がタッチされたときは、パルスモータＭ８の１０パルス駆動分であり、本実施形態では１ｍｍとされている。細縮小キー７４０、細拡大キー７４１がタッチされたときは、パルスモータＭ８の１パルス駆動分であり、本実施形態では０．１ｍｍとされている。これに対し、パルスモータＭ７は駆動されず、ステッチャ２１５ｂとステッチャ２１５ｃの位置は移動しない。
【００７１】
このように、外側綴じ位置調整画面７０１ｅにおいては、キー７３９，７４０，７４１，７４２のいずれかを１回タッチすることにより、ステッチャ２１５ｂと２１５ｃの位置を変えずに、ステッチャ２１５ａとステッチャ２１５ｄとの間隔を拡大縮小することができる。すなわち４か所の綴じ針のうち、両外側の綴じ針の間隔のみを拡大縮小する。したがって、分離断裁後の各々の冊子Ｐ３における２か所の綴じ針の各々の間隔を調整することができるので、ユーザの１回の操作で各々の冊子Ｐ３の綴じ間隔の変更が行えるとともに、変更後の各々の冊子Ｐ３の綴じ間隔が同一となる。戻りキー７４３にタッチされると（Ｓ４１１のＹ）、微調整画面７０１ｃ（図１０）に戻って（Ｓ４１２）外側綴じ位置調整を完了する。
【００７２】
（対称綴じ位置調整）
図１５は対称綴じ位置調整画面７０１ｆを示す図、図１６はこの対称綴じ位置調整画面７０１ｆを使って行われる対称綴じ位置調整を示すフローチャートである。図１５に示すように、対称綴じ位置調整画面７０１ｆの中央上部には用紙束Ｐ１を模式表示した用紙束表示部７４４を有する。この用紙束表示部７４４には上下方向に４か所の綴じ針を並べて表示し、その上から１個目と２個目、３個目と４個目の間に位置するように、各々両矢印が配置されている。用紙束表示部７４４の下方には左から順に粗縮小キー７４５、細縮小キー７４６、細拡大キー７４７、粗拡大キー７４８が左右に並んで配置され、その右下方に戻りキー７４９が配置されている。中央制御部３０１はキー７３３、７３４、７３５、７３６のいずれかがタッチされると、タッチされたキーに応じてパルスモータＭ７，Ｍ８を駆動して、ステッチャ２１５を微小距離だけ移動させ、その間隔を拡大または縮小する。
【００７３】
この対称綴じ位置調整の流れを図１６を参照して説明する。図１０に示す微調整画面７０１ｃを表示している状態で、対称綴じ位置調整キー７２７にタッチされると（Ｓ５０１のＹ）、図１５に示す対称綴じ位置調整画面７０１ｆが表示される（Ｓ５０２）。粗縮小キー７４５がタッチされると（Ｓ５０３のＹ）、ステッチャ２１５ｂとステッチャ２１５ｃとの間隔が拡大するように、パルスモータＭ７を１０パルス分駆動する。同時に、ステッチャ２１５ａとステッチャ２１５ｄとの間隔が縮小するように、パルスモータＭ８を１０パルス分駆動させる（Ｓ５０４）。細縮小キー７４６がタッチされると（Ｓ５０５のＹ）、ステッチャ２１５ｂとステッチャ２１５ｃとの間隔が拡大するように、パルスモータＭ７を１パルス分駆動する。同時に、ステッチャ２１５ａとステッチャ２１５ｄとの間隔が縮小するように、パルスモータＭ８を１パルス分駆動させる（Ｓ５０６）。したがってＳ５０４、Ｓ５０６においては、ステッチャ２１５ａとステッチャ２１５ｂとの間隔、及びステッチャ２１５ｃとステッチャ２１５ｄとの間隔が各々縮小することになる。
【００７４】
粗拡大キー７４８がタッチされると（Ｓ５０７のＹ）、ステッチャ２１５ｂとステッチャ２１５ｃとの間隔が縮小するように、パルスモータＭ７を１０パルス分駆動する。同時に、ステッチャ２１５ａとステッチャ２１５ｄとの間隔が拡大するように、パルスモータＭ８を１０パルス分駆動させる（５０８）。細拡大キー７４７がタッチされると（Ｓ５０９のＹ）、ステッチャ２１５ｂとステッチャ２１５ｃとの間隔が縮小するように、パルスモータＭ７を１パルス分駆動する。同時に、ステッチャ２１５ａとステッチャ２１５ｄとの間隔が拡大するように、パルスモータＭ８を１パルス分駆動させる（Ｓ５１０）。したがってＳ５０８、Ｓ５１０においては、ステッチャ２１５ａとステッチャ２１５ｂとの間隔、及びステッチャ２１５ｃとステッチャ２１５ｄとの間隔が各々拡大することになる。
【００７５】
すなわち、ステッチャ２１５ａとステッチャ２１５ｃとが同方向に同距離だけ移動するとともに、ステッチャ２１５ｂとステッチャ２１５ｄとが同方向に同距離だけ移動する。その移動距離は、粗縮小キー７４５、粗拡大キー７４８がタッチされたときは、パルスモータＭ７，Ｍ８の１０パルス駆動分であり、本実施形態では１ｍｍとされている。細縮小キー７４６、細拡大キー７４７がタッチされたときは、パルスモータＭ７，Ｍ８の１パルス駆動分であり、本実施形態では０．１ｍｍとされている。
【００７６】
このように、対称綴じ位置調整画面７０１ｆにおいては、キー７４５、７４６、７４７、７４８のいずれかを１回タッチすることにより、ステッチャ２１５ａとステッチャ２１５ｂとの間隔、及びステッチャ２１５ｃとステッチャ２１５ｄとの間隔をともに拡大縮小することができる。したがって、分離断裁後の各々の冊子Ｐ３における２か所の綴じ針の間隔を、その２か所の幅方向の中央を基準として対称に拡大縮小させることができるので、ユーザの１回の操作で各々の冊子Ｐ３の綴じ間隔の変更が行えるとともに、変更後の各々の冊子Ｐ３の綴じ間隔が同一となる。戻りキー７４９にタッチされると（Ｓ５１１のＹ）、微調整画面７０１ｃ（図１０）に戻って（Ｓ５１２）両側綴じ位置調整を完了する。
【００７７】
なおパルスモータＭ７、Ｍ８の駆動１パルス分に対するステッチャ２１５の移動距離や、粗拡大縮小と細拡大縮小との移動距離の比については上記実施形態に限られず、当業者が適宜最適に設計できることはいうまでもない。ユーザが必要に応じ、粗拡大、細拡大、粗縮小、細縮小の各キーに必要な回数タッチすることにより、綴じ位置を所望の位置に調整することが可能に構成すればよい。
【００７８】
以上、微調整画面７０１ｃ（図１０）において、両側綴じ位置調整キー７２５、外側綴じ位置調整キー７２６、対称綴じ位置調整キー７２７がタッチされた場合の微調整操作と制御の説明を行ったが、それ以外の綴じ位置調整キー７２２、折り位置調整キー７２３、綴じ折り位置調整キー７２４、サイドジョガー調整キー７２８、バックジョガー調整キー７２９、小口断裁位置調整キー７３０、天地断裁位置調整キー７３１のいずれかがタッチされた場合も、各々の調整画面が表示される。調整画面は、綴じ位置調整キー７２２がタッチされた場合は綴じストッパ２１２の搬送方向の位置を、折り位置調整キー７２３がタッチされた場合は折りストッパ２４５の搬送方向の位置を、綴じ折り位置調整キー７２４がタッチされた場合は綴じストッパ２１２と折りストッパ２４５の搬送方向の位置を、サイドジョガー調整キー７２８がタッチされた場合は第１、第２サイドジョガー２１４ａ、２１４ｂの幅方向の位置を、小口断裁位置調整キー７３０がタッチされた場合は小口断裁ストッパ４０５の搬送方向の位置を、天地断裁位置調整キー７３１がタッチされた場合は天地断裁刃５０２の幅方向の位置を各々微調整できるように、粗調整キー、細調整キー等が表示され、タッチされたキーに応じて各アクチェータが駆動し、各部材を微小距離ずつ移動させる。なおステップキー７２１にタッチすると、用紙処理装置１はステップ動作を開始する。このステップ動作については後述する。
【００７９】
（通常動作）
この本発明に係る用紙処理装置１の通常動作を説明する。操作パネル７００に設けられたスタートスイッチを押すと、丁合部１００の各用紙積載棚１０１から用紙が１枚ずつ取り出される。取り出された各用紙は丁合搬送路１０３に進入し、搬送しながら重ね合わせられ、用紙束Ｐ１を形成する。この用紙束Ｐ１は搬送ブリッジ１０４を経由して、中綴じ折り部２００へ供給される。
【００８０】
用紙束Ｐ１は搬入ローラ２０１で中綴じ折部２００内に搬入し、揃え綴じ部２１０の搬送ベルト２１１上を、図２に示す左方へ搬送される。用紙束Ｐ１の先端が、図示しないセンサＳ１に検知されると、用紙束Ｐ１の先端が綴じストッパ２１２に当接したと判断し、中央制御部３００は搬送ベルト２１１の駆動を止め、バックジョガー２１３とサイドジョガー２１４のジョグ動作を行わせる。各ジョガーは、用紙の端縁から離れた退避位置と、用紙の端縁に当接する当接位置との間を適宜の回数往復動作（ジョグ動作）する。このジョグ動作により用紙束Ｐ１の両側端と後端の縁が揃えられる。最後のジョグ動作においてはバックジョガー２１３とサイドジョガー２１４は当接位置でいったん停止し、ステッチャ２１５により用紙束Ｐ１の搬送方向中央の綴じライン上の４か所に、綴じ針の打ち込みが行われる。
【００８１】
綴じ針の打ち込み後、綴じストッパ２１２は搬送ベルト２１１の搬送面よりも下方に退避し（図１の一点鎖線位置）、搬送ベルト２１１は再び駆動開始する。ベルト面に設けられた爪２１１ａ、２１１ｂのいずれかが用紙束Ｐ１の後端を押し、用紙束Ｐ１を左方へ送り出す。
【００８２】
用紙束Ｐ１は第１折り搬送手段２４３、第２折り搬送手段２４４によりさらに搬送され、用紙束Ｐ１先端が折りストッパ２４５に当接する。この当接が図示しないセンサＳ２で検知されると、第１折り搬送手段２４３、第２折り搬送手段２４４は停止する。その後折りナイフ２４２が用紙束Ｐ１に向かって進出し、その先端が用紙束Ｐ１に当接し、を折りローラ対２４１に押し込む。用紙束Ｐ１は折りローラ対２４１により二つ折りされ、折り用紙束Ｐ２となって、折り目を前方にして第３折り搬送手段２４６により搬送され、排出ローラ対２６１により機外に排出される。
【００８３】
続いて折り用紙束Ｐ２は小口断裁部４００に搬入され、上刃４０２と下刃４０３の間を通りぬけ、搬送機構４０４によりさらに搬送されて、先端の折り目が小口断裁ストッパ４０５に当接する。図示しないセンサＳ３で折り用紙束Ｐ２が小口断裁ストッパ４０５に当接したことが検知されると、押さえ機構（図示せず）が折り用紙束Ｐ２を表裏から挟持して、折り用紙束Ｐ２の折りのふくらみを無くして固定するとともに、上刃４０２が下降して下刃４０３とともに用紙束Ｐ２の開き側の端縁を断裁して切り揃える。その後小口断裁ストッパ４０５は搬送機構４０４の搬送面よりも下方に退避し（図１の一点鎖線位置）、搬送機構４０４により折り用紙束Ｐ２の搬送が再開される。
【００８４】
続いて折り用紙束Ｐ２は天地断裁部５００に搬入され、その先端折り目が天地断裁ストッパ５０４に当接して停止する。図示しないセンサＳ４で折り用紙束Ｐ２が天地断裁ストッパ５０４に当接したことが検知されると、押さえ機構（図示せず）が折り用紙束Ｐ２を表裏から挟持して、折り用紙束Ｐ２の折りのふくらみを無くして固定するとともに、天地断裁刃５０２の上刃５０２ａ及び分離断裁刃５０３の上刃５０３ａが下降して、下刃５０２ｂ、５０３ｂとともに折り用紙束Ｐ２の幅方向両サイドの端縁を断裁して切り揃えるとともに、折り用紙束Ｐ２の幅方向の中央で２分割して２冊の冊子Ｐ３を作成する。その後天地断裁ストッパ５０４は搬送機構５０１の搬送面よりも下方に退避し（図１の一点鎖線位置）、搬送機構５０１により冊子Ｐ３が搬送され、スタッカ部６００へ送り出される。
【００８５】
（ステップ動作）
続いて本発明の用紙処理装置１のステップ動作について説明する。図１７はステップ動作を示すフローチャートである。ステップ動作は、図１０に示す微調整画面において、ステップキー７２１にタッチされることによって開始される。ステップキー７２１にタッチされると（Ｓ２０１のＹ）、丁合部１００の各用紙積載棚１０１から用紙が１枚ずつ取り出され、これが互いに重ね合わされて用紙束Ｐ１が形成される（Ｓ２０２）。センサＳ１により用紙束Ｐ１が検知され、綴じストッパ２１２に当接したと判断すると（Ｓ２０３のＹ）、中央制御部３００は搬送ベルト２１１の駆動を止める（Ｓ２０４）。そしてステップキー７２１にタッチされたと判断すると（Ｓ２０５のＹ）、ステッチャ２１５により用紙束Ｐ１に、綴じ針が４か所打ち込まれる（Ｓ２０６）。その後、綴じストッパ２１２は搬送ベルト２１１の搬送面よりも下方に退避し、搬送ベルト２１１が駆動再開し（Ｓ２０７）、用紙束Ｐ１を送り出す。 
【００８６】
次に用紙束Ｐ１先端が折りストッパ２４５に当接し、この当接がセンサＳ２で検知されると（Ｓ２０８のＹ）、第１折り搬送手段２４３、第２折り搬送手段２４４は停止する（Ｓ２０９）。そしてステップキー７２１にタッチされたと判断すると（Ｓ２１０のＹ）、折りナイフ２４２が進出して用紙束Ｐ１を折りローラ対２４１に押し込むとともに搬送駆動再開され（Ｓ２１１）、用紙束Ｐ１は折りローラ対２４１により折り用紙束Ｐ２となって機外に排出され、小口断裁部４００に搬入されて小口断裁ストッパ４０５に当接する。この当接がセンサＳ３で検知されると（Ｓ２１２のＹ）、搬送機構４０４の駆動を停止し、（Ｓ２１３）押さえ機構（図示せず）が折り用紙束Ｐ２を挟持する。そしてステップキー７２１にタッチされたと判断すると（Ｓ２１４のＹ）、上刃４０２が下降して用紙束Ｐ２の開き側の端縁を断裁する（Ｓ２１５）。その後小口断裁ストッパ４０５を退避させるとともに搬送を再開し（Ｓ２１６）、折り用紙束Ｐ２は小口断裁部４００から排出されるとともに天地断裁部５００に搬入され、その先端折り目が天地断裁ストッパ５０４に当接して停止する。この停止がセンサＳ４で検知されると（Ｓ２１７）、搬送機構５０１の駆動を停止し（Ｓ２１８）、押さえ機構（図示せず）が折り用紙束Ｐ２を表裏から挟持する。そしてステップキー７２１にタッチされたと判断すると（Ｓ２１９のＹ）、天地断裁刃５０２の上刃５０２ａ及び分離断裁刃５０３の上刃５０３ａが下降して、折り用紙束Ｐ２の幅方向両サイドの端縁と中央を断裁して冊子Ｐ３とする（Ｓ２１９）。断裁された冊子Ｐ３はスタッカ部６００に送り出される（Ｓ２２０）。
【００８７】
上記した通常動作は、用紙サイズ、仕上りサイズ入力による各部材の位置移動（第１の制御）を行い、必要に応じて微調整（第２の制御）を行った後に、スタートスイッチにより開始されるもので、冊子Ｐ３を繰り返し自動的に作成するための動作である。これに対してステップ動作は微調整の際に必要に応じて行うものである。このステップ動作においては、用紙束Ｐ１または折り用紙束Ｐ２が綴じストッパ２１２に当接した段階、折りストッパ２４５に当接した段階、小口断裁ストッパ４０５に当接した段階、天地断裁ストッパ５０４に当接した段階の各々において、ステップキー７２１にタッチされない限り、その位置に用紙束Ｐ１または折り用紙束Ｐ２を停止させたままとしている点が、スタートスイッチにより開始される通常動作との相違であり、その他は同一である。そして、用紙束Ｐ１が綴じストッパ２１２に当接した状態で綴じストッパ２１２、バックジョガー２１３、サイドジョガー２１４の微調整を可能としている。またこの微調整時には、ユーザのキー操作等でバックジョガー２１３、サイドジョガー２１４をジョグ動作させることも可能である。ユーザは停止している用紙束Ｐ１の現物に合わせて、各々の位置の微調整を行うことができる。同様に、用紙束Ｐ１が折りストッパ２４５に当接した状態で折りストッパ２４５の位置調整が、天地断裁ストッパ５０４に当接した状態で天地断裁刃５０２の位置の微調整を可能としている。折り用紙束Ｐ２が小口断裁ストッパ４０５に当接した状態では折り用紙束Ｐ２が押さえ機構（図示せず）により挟持されているので小口断裁ストッパ４０５の位置の微調整はできないが、小口断裁ストッパ４０５に当接した時点でもいったん停止させてステップキー７２１のタッチを待機させることにより、その間にユーザが折り用紙束Ｐ２と断裁刃との位置関係を観察し、小口断裁位置を確かめることを可能としている。小口断裁位置が所望の位置と異なる場合は、ステップ動作を完了させてから小口断裁ストッパ４０５の位置の微調整を行う。必要に応じて再度ステップ動作を行って、折り用紙束Ｐ２の現物で小口断裁位置を目視で確認してもよい。
【００８８】
このように本願発明の微調整においては、分離断裁後の冊子Ｐ３の各冊子の綴じ間隔を固定したまま綴じ位置を移動させる両側綴じ位置調整と、各冊子の綴じ間隔を、分離前の折り用紙束の搬送中央ラインＬ１（分離断裁ライン）を中心として対称に調整する外側綴じ位置調整と、各冊子の綴じ間隔を各冊子における２か所の綴じ針の幅方向の中央を基準として対称に調整する対称綴じ位置調整とが、可能となっている。従って分離断裁後の各々の冊子の綴じ間隔や、綴じ間隔を固定しての綴じ位置の調整が、ユーザの１の操作で各々同時に行うことができるとともに、調整後の各々の冊子Ｐ３の綴じ間隔が同一となる。
【００８９】
本発明は上述の各実施形態に限定されるものではなく、各実施形態の各要素を適宜組み合わせたものも、本発明の実施形態として有効である。また、当業者の知識に基づいて各種の設計変更等の変形を各実施形態に対して加えることも可能であり、そのような変形が加えられた実施形態も本発明の範囲に含まれうる。以下、そうした例をあげる。
【００９０】
上記実施形態では、用紙束Ｐ１の搬送方向の中央部の綴じライン上でステッチャ２１５により４か所綴じを行い、綴じた位置で二つ折りして折り用紙束Ｐ２としているが、この形態に限られない。例えば用紙束Ｐ１の先端または後端近傍の綴じライン上の４か所に綴じ針を打ち込み、２つ折りを行うことなく分離断裁を行い、２冊の平綴じ冊子（折りを行わない冊子）を作成するように構成してもよい。
【００９１】
上記実施形態では、操作パネル７００からユーザによる用紙サイズ情報の入力を受付けるようにしているが、用紙サイズ情報を自動取得するようにしてもよい。例えば、丁合部１００の給紙機構１０１に積載された用紙の側端面及び後端面に当接可能なガイドと、このガイドの位置を検出する検出機構を設け、検出されたガイドの位置により、給紙機構１０１に積載されている用紙のサイズを読み取るように構成してもよい。また、給紙機構１０１に積載する用紙に、予め印刷を施すための印刷機と、用紙処理装置１とを通信可能に接続し、印刷機から用紙サイズを読み込んでもよいし、製本の発注者側からインターネット回線等を通じて受信した用紙サイズデータを用いても良い。
【００９２】
上記実施形態では、外側綴じ位置調整、両側綴じ位置調整、対称綴じ位置調整の３種から選択可能としたが、これに限られず、いずれか１つのみ行えるものであってもよく、あるいは２つから選択可能であってもよい。また、この３種に限られず、ステッチャ２１５ｂと２１５ｃとが搬送中央ラインＬ１（分離断裁ライン）を中心に対称移動し、ステッチャ２１５ａと２１５ｄの位置を固定としてもよい。また、ステッチャ２１５ａ、２１５ｂ、２１５ｃ、２１５ｄがすべて同一方向、同一距離だけ移動するようにしてもよい。
【００９３】
上記実施形態は、用紙束Ｐ１の綴じライン上に４か所の綴じ針を形成する用紙処理装置であるが、４か所よりも多数の偶数個の綴じ針を形成する用紙処理装置であってもよい。例えば、搬送方向に直交する方向に６個のステッチャ２１５ｅ、２１５ｆ、２１５ｇ、２１５ｈ、２１５ｉ、２１５ｊを順次列設することにより、図１８に示すように、用紙束Ｐ１の綴じライン上に６箇所の綴じ針Ｓｔを形成し、分離断裁後に各々３か所の綴じ針Ｓｔを有する冊子を形成してもよい。図１８において綴じ針Ｓｔ（２１５ｅ）はステッチャ２１５ｅにより打ち込まれた綴じ針である。Ｓｔ（２１５ｆ）乃至Ｓｔ（２１５ｊ）も同様に、括弧内の付番で示すステッチャにより打ち込まれた綴じ針を示す。
【００９４】
この場合の微調整は次の通りである。両側綴じ位置調整においては、図１９（ａ）に示すように、用紙束Ｐ１の搬送中央ラインＬ１（分離断裁ライン）を中心に、ステッチャ２１５ｅ、２１５ｆ、２１５ｇが幅方向の一方向に、ステッチャ２１５ｈ、２１５ｉ、２１５ｊが幅方向の他方向に、各々等距離だけ移動するように制御する。従って分離断裁後の各々の冊子Ｐ３における３か所の綴じ針の位置を、その間隔を固定したまま綴じライン上の位置を調整することができるので、ユーザの１回の操作で各々の冊子Ｐ３の綴じ位置の移動が行えるとともに、移動後の各々の冊子Ｐ３の綴じ間隔（ピッチ）が同一となる。
【００９５】
外側綴じ位置調整においては、図１９（ｂ）に示すように、ステッチャ２１５ｇと２１５ｈは移動させず、ステッチャ２１５ｅが幅方向の一方向へ、ステッチャ２１５ｊが幅方向の他方向へ各々等距離だけ移動し、さらにステッチャ２１５ｆが幅方向の一方向へ、ステッチャ２１５ｉが幅方向の他方向へ、各々ステッチャ２１５ｅ、２１５ｊの移動距離の１／２の距離だけ移動する。したがって、分離断裁後の各々の冊子Ｐ３における３か所の綴じ針の各々の間隔を、ピッチを等しく保ったまま調整することができるので、ユーザの１回の操作で各々の冊子Ｐ３の綴じ間隔の変更が行えるとともに、変更後の各々の冊子Ｐ３の綴じ間隔（ピッチ）が同一となる。
【００９６】
対称綴じ位置調整においては、図１９（ｃ）に示すように、ステッチャ２１５ｆ、２１５ｉは移動させず、ステッチャ２１５ｅ、２１５ｈが幅方向の一方向へ、ステッチャ２１５ｇ、２１５ｊが幅方向の他方向へ移動する。したがって、分離断裁後の各々の冊子Ｐ３における３か所の綴じ針の間隔を、その３か所の幅方向の中央（３か所の中央の綴じ位置）を基準として対称に拡大縮小させることができるので、ユーザの１回の操作で各々の冊子Ｐ３の綴じ間隔の変更が行えるとともに、変更後の各々の冊子Ｐ３の綴じ間隔（ピッチ）が同一となる。
【００９７】
このように本願発明の微調整においては、分離断裁後の冊子Ｐ３の綴じ位置の数にかかわらず、各冊子の綴じ間隔を固定したまま綴じ位置を移動させる両側綴じ位置調整と、各冊子の綴じ間隔を、分離前の折り用紙束の搬送中央ラインＬ１（分離断裁ライン）を中心として対称に調整する外側綴じ位置調整と、各冊子の綴じ間隔を各冊子における複数箇所の綴じ針の幅方向の中央を基準として対称に調整する対称綴じ位置調整とが、可能となっている。従って分離断裁後の各々の冊子の綴じ位置の数に関わらず、綴じ間隔や、綴じ間隔を固定しての綴じ位置の調整が、ユーザの１の操作で各々同時に行うことができるとともに、調整後の各々の冊子Ｐ３の綴じ間隔が同一となる。
【００９８】
上記実施形態では、折り用紙束Ｐ２を搬送中央ラインＬ１に沿って分離断裁する分離断裁刃５０３を１枚設け、折り用紙束Ｐ２を２分割して２冊の冊子Ｐ３を作成するように構成されているが、このような構成に限られず、分離断裁刃を２枚以上設け、折り用紙束Ｐ２を３分割以上して３冊以上の冊子を作成するように構成してもよい。例えば、搬送方向に直交する方向に６個のステッチャ２１５ｋ、２１５ｌ、２１５ｍ、２１５ｎ、２１５ｏ、２１５ｐを順次列設することにより、図２０に示すように、用紙束Ｐ１の綴じライン上に６箇所の綴じ針Ｓｔを形成し、これを分離断裁ラインＬ２に沿って配置した２枚の分離断裁刃で３分割し、分離断裁後に各々２か所の綴じ針Ｓｔを有する３冊の冊子Ｐ４を形成してもよい。図２０において綴じ針Ｓｔ（２１５ｋ）はステッチャ２１５ｋにより打ち込まれた綴じ針である。Ｓｔ（２１５ｌ）乃至Ｓｔ（２１５ｐ）も同様に、括弧内の付番で示すステッチャにより打ち込まれた綴じ針を示す。
【００９９】
この場合の微調整は、例えば、ユーザの１回の操作により、各冊子Ｐ４に綴じ針を形成するステッチャの組（以下ステッチャ組という）の各々（ステッチャ２１５ｋと２１５ｌ、ステッチャ２１５ｍと２１５ｎ、ステッチャ２１５ｏと２１５ｐ）が、各ステッチャ組を構成するステッチャの移動方向が同一になるように、互いに同距離だけ移動してもよい。この時、各ステッチャ組の移動方向は互いに同一であっても、異なっていてもよい。また、中央のステッチャ組２１５ｍ、２１５ｎの位置を固定とし、両側のステッチャ組２１５ｋ、２１５ｌ、ステッチャ組２１５ｏ、２１５ｐが互いに離れる方向に同距離だけ移動してもよい。さらに、各ステッチャ組が互いにその間隔の中心に対して対称に移動してもよく、各ステッチャ組の一方が、他方から離れる方向に同距離だけ移動してもよい、各ステッチャ組の一方が他方に近づく方向に同距離だけ移動してもよい。このいずれの例についても、分離断裁後の複数の冊子Ｐ４における２か所の綴じ針の位置を、ユーザの１回の操作で移動できるとともに、移動後の各々の冊子Ｐ４の綴じ間隔が同一となる。
【０１００】
本実施形態では触れていないが、着脱可能な分離断裁刃５０３が装着されていることを検知するセンサを設け、分離断裁刃５０３が装着されているときのみ、上記の両側、外側、対称綴じ位置調整を可能とし、分離断裁刃５０３が装着されていない場合は、４か所の綴じ位置の間隔を等しく保ったまますべての綴じ位置を幅方向の一方向または他方向に移動させるか、あるいは４か所の綴じピッチを等しく保ったまま綴じ間隔を調整するようにしてもよい。分離断裁刃５０３が装着されていない場合は分離断裁前の折り用紙束Ｐ２が完成品の冊子となるので、その冊子の４か所の綴じ位置のピッチが等しい方が、見栄えが良いからである。
【符号の説明】
【０１０１】
１ 用紙処理装置、１００  丁合部、２００  中綴じ折部、 ２１３  バックジョガー、  ２１４  サイドジョガー、  ２１５（２１５ａ〜２１５ｐ）  ステッチャ、  ２４５  折りストッパ、３００  中央制御部、４００  小口断裁部、４０５  小口断裁ストッパ、５００  天地断裁部、５０２  天地断裁刃、５０３  分離断裁刃、５０４  天地断裁ストッパ、６００  スタッカ部、７００  操作パネル、７０１  画面、７０１ａ  用紙サイズ入力画面、７０１ｂ  仕上がりサイズ入力画面、７０１ｃ  微調整画面、７０１ｄ  両側綴じ位置調整画面、７０１ｅ  外側綴じ位置調整画面、７０１ｆ  対称綴じ位置調整画面、Ｐ１  用紙束、Ｐ２  折り用紙束、Ｐ３  冊子、Ｐ４  冊子、Ｍ７  パルスモータ、Ｍ８  パルスモータ  
【図１】
2017007760.tif 000003
【図２】
2017007760.tif 000004
【図３】
2017007760.tif 000005
【図４】
2017007760.tif 000006
【図５】
2017007760.tif 000007
【図６】
2017007760.tif 000008
【図７】
2017007760.tif 000009
【図８】
2017007760.tif 000010
【図９】
2017007760.tif 000011
【図１０】
2017007760.tif 000012
【図１１】
2017007760.tif 000013
【図１２】
2017007760.tif 000014
【図１３】
2017007760.tif 000015
【図１４】
2017007760.tif 000016
【図１５】
2017007760.tif 000017
【図１６】
2017007760.tif 000018
【図１７】
2017007760.tif 000019
【図１８】
2017007760.tif 000020
【図１９】
2017007760.tif 000021
【図２０】
2017007760.tif 000022